(57)【要約】【課題】プロジェクタのパスワード設定には、「起動」、「ファイル表示」、「ズームフォーカス駆動」、「画処理設定」など様々な項目毎にパスワードを設定することが可能である。しかし、全ての項目にパスワード設定した場合、使用する際のパスワード解除、ユーザー認証操作が多く煩わしい。逆にパスワードを設定しないとセキュリティ面で不都合が生じる。【解決手段】使用形態に応じて、最適なパスワード設定対象項目を自動的に切替る制御を行う。使用形態は、据置型もしくは可搬型の設置形態、およびズームフォーカス駆動や画像処理設定などの操作履歴  の情報から自動的に判断する。更に、使用形態に応じた最適なパスワード組合せ情報も具備しておき、前記検出された設置形態に応じてパスワード設定項目を選択する。【選択図】図１
2017162128.tif 000002
【特許請求の範囲】
【請求項１】
据置型、および可搬型の両方の使用状態で使用可能な表示装置であって、     
前記使用状態を判別する設置形態判別手段と、 
操作履歴を記憶および管理する操作履歴管理手段と、 
操作項目毎にパスワードの設定が可能であり、前記パスワード設定の複数の組合せを記憶するパスワード組合せ記憶手段と 
前記記憶手段の情報を用いてパスワード設定を行うパスワード制御手段    を有し、 
前記パスワード制御手段は、設置形態判別手段および操作履歴管理手段の結果から、前記複数のパスワード設定組合せの中から選択することを特徴とする表示装置。
【請求項２】
前記操作履歴管理手段は、前回起動時の操作項目を操作履歴として記憶し、
前記設置形態判別手段は、現在の設置状態を検出し、
前記パスワード制御手段は、前記操作履歴、および前記設置状態から使用形態を判定し、その使用形態に適したパスワード設定組合せを前記パスワード組合せ記憶手段から選択することを特徴とする請求項１に記載の表示装置。
【請求項３】
前記操作履歴管理手段は、過去の操作項目を操作履歴として記憶し、
前記設置形態判別手段は、現在及び過去の設置状態を設置状態履歴として記憶し、
前記パスワード制御手段は、前記操作履歴、および前記設置状態履歴から使用形態を判定し、その使用形態に適したパスワード設定組合せを前記パスワード組合せ記憶手段から選択することを特徴とする請求項１に記載の表示装置。
【請求項４】
設置形態判別手段は、使用状態が据置型もしくは可搬型であるかの状態を判別する手段であり、 
操作履歴管理手段は、光学表示調整機能の操作、もしくは電気調整機能設定の操作の履歴を管理する手段であることを特徴とする請求項１乃至請求項３の何れか一項に記載の表示装置。
【発明の詳細な説明】
【技術分野】
【０００１】
本発明は、投射型表示装置に関し、特にパスワード設定の制御に関する。
【背景技術】
【０００２】
近年、プロジェクタは会議や展示会など多種多様な用途で使用されることが多く、そのため用途・使用形態に応じた様々なタイプのプロジェクタが開示されている。例えば共有の大会議室であれば常時設置・固定の「据置型」として使用されており、小会議スペースや外出時などは持ち運び可能な「可搬型」として使用されている。一方で、持ち運び可能、多数の人が使用することが発生するため、プロジェクタにおいてもセキュリティ面で注意を払う必要性が出てきている。
【０００３】
プロジェクタのセキュリティを強化する機能の１つとして、パスワード設定が知られている。パスワード設定にはいくつか方法があるが、セキュリティを強化するためには、「起動」、「ズームフォーカス駆動」、「画像処理設定変更」、「ファイル表示」など各項目ごとにパスワード設定をかける方法がある。しかし、全ての項目にパスワード設定した場合、ユーザーが使用する際にパスワード解除、ユーザー認証操作が多く煩わしい、という場合がある。
【０００４】
このような場合を解消する方法の１つとして、特許文献１には、ユーザー単位でセキュリティレベルを設定し、そのユーザーセキュリティレベルに応じて操作項目に制限を与える、という技術が開示されている。また特許文献２には、パスワード登録時に設置場所も登録し、電源オン時にＧＰＳで現在位置を確認し、ある所定の範囲内であればセキュリティをかけない、という技術が開示されている。
【０００５】
特許文献１も特許文献２も、いかなる場合でもパスワード設定をかけるのではなく、ユーザーや使用場所に応じて最適なセキュリティレベルを考慮することにより、パスワード解除の煩わしさを低減させるという技術である。
【先行技術文献】
【特許文献】
【０００６】
【特許文献１】特開２０００−２９３４１８号公報
【特許文献２】特開２０００−２３３８３１号公報
【発明の概要】
【発明が解決しようとする課題】
【０００７】
しかしながら、特許文献１および特許文献２に開示された方法では、ユーザー、もしくは設置場所によってのみセキュリティレベルを変えているため、実際のプロジェクタの使われ方(＝使用形態)は考慮していない。プロジェクタは、先に述べたように据置型/可搬型、共有用/個人用など様々な使用形態で使われることが多く、その使用形態によって理想的なパスワードの設定対象は異なっている。
【０００８】
そこで、本発明の目的は、最低限のセキュリティを確保しつつ、且つパスワード解除の煩わしさを低減させることを可能とした投射型表示装置を提供することにある。
【課題を解決するための手段】
【０００９】
上記の目的を達成するために、本発明に係る投射型表示装置は、
据置型、および可搬型の両方の使用状態で使用可能な表示装置であって、前記使用状態を判別する設置形態判別手段と、操作履歴を記憶および管理する操作履歴管理手段と、操作項目毎にパスワードの設定が可能であり、前記パスワード設定の複数の組合せを記憶するパスワード組合せ記憶手段と、前記記憶手段の情報を用いてパスワード設定を行うパスワード制御手段を有し、前記パスワード制御手段は、設置形態判別手段および操作履歴管理手段の結果から、前記複数のパスワード設定組合せの中から選択することを特徴とする。
【００１０】
また、前記操作履歴管理手段は、前回起動時の操作項目を操作履歴として記憶し、前記設置形態判別手段は、現在の設置状態を検出し、前記パスワード制御手段は、前記操作履歴、および前記設置状態から使用形態を判定し、その使用形態に適したパスワード設定組合せを前記パスワード組合せ記憶手段から選択することを特徴とする。
【００１１】
もしくは、前記操作履歴管理手段は、過去の操作項目を操作履歴として記憶し、前記設置形態判別手段は、現在及び過去の設置状態を設置状態履歴として記憶し、前記パスワード制御手段は、前記操作履歴、および前記設置状態履歴から使用形態を判定し、その使用形態に適したパスワード設定組合せを前記パスワード組合せ記憶手段から選択することを特徴とする。
【００１２】
設置形態判別手段は、使用状態が据置型もしくは可搬型であるかの状態を判別する手段であり、操作履歴管理手段は、光学表示調整機能の操作、もしくは電気調整機能設定の操作の履歴を管理する手段であることを特徴とする。
【発明の効果】
【００１３】
本発明によれば、様々な使用形態に応じて最適なパスワード項目が選択されることにより、最低限のセキュリティを確保しつつ、且つパスワード解除の煩わしさを低減させることを可能とした投射型表示装置を提供することができる。
【図面の簡単な説明】
【００１４】
【図１】本発明の実施例を示した図である。
【図２】本発明の第1の実施例の処理手順を示したフローチャートである。
【図３】据置用取り付け金具を検出する手段の具体例を示した図である。
【図４】第1の実施例におけるパスワード組合せテーブルの例を示した図である。
【図５】本発明の第２の実施例の処理手順を示したフローチャートである。
【図６】第２の実施例における使用形態の判定例を示した図である。
【図７】第２の実施例におけるパスワード組合せテーブルの例を示した図である。
【図８】第２の実施例における振動センサの履歴情報を示す図である。
【図９】第２の実施例におけるズーム駆動履歴情報を示す図である。
【発明を実施するための形態】
【００１５】
以下に、本発明の好ましい実施の形態を、添付の図面に基づいて詳細に説明する。
【００１６】
［実施例１］
図１は本発明の実施形態にかかわるプロジェクタを示した図である。図１に沿って各部部の動作・役割について説明する。
１０は入力映像信号に対してスクリーン補正を含む画像処理を行う画像処理回路である。スクリーン補正機能とは、投射するスクリーン種別に適した表示を行うために色処理を施す機能であり、「通常スクリーン」「黒板」「壁紙(灰)」「壁紙(深緑)」などからユーザーが選択できる。１１はズーム・フォーカス・レンズシフト駆動回路である。ここでは、スクリーンに対して表示サイズの拡大縮小、表示位置の調整を光学的に行う。１２は操作ボタンやリモコンなどの手段を用いてユーザーからの命令でプロジェクタの起動を制御する部分である。
【００１７】
１３はパスワード設定部であり、スクリーン補正機能の設定操作、ズーム・フォーカス・レンズシフト駆動の操作に対して個別にパスワードのオン／オフを設定する。また、パスワード設定部１３はパスワード設定がオンの場合には対象操作が行われた時にパスワード入力画面表示を行い、オフの場合にはパスワード入力画面表示を行わずに対象操作を行う。２０は本発明の主たる部分であるパスワード制御管理ブロックである。以下にパスワード制御管理ブロック２０の処理に関して説明する。
【００１８】
パスワード制御管理ブロック２０には、パスワード設定部１３に対して個別にパスワード設定のオン／オフを命令するパスワード制御部１５、操作項目とパスワードのオン／オフ設定の組合せを記憶しているパスワード設定組合せテーブル１４を具備している。設置形態判別手段１６は、プロジェクタが「据置型」、「過般型」のどちらで使用されているかを検出する部分である。具体的には、据置用取り付け金具を検出ずる機械的スイッチや、振動情報を検出する振動センサなどがある。
【００１９】
操作履歴管理部１７は、ユーザーが操作したズーム駆動、フォーカス駆動、レンズシフト駆動の操作履歴を記憶、管理する部分であり、前回もしくは以前に上記駆動が行われたかを記憶している部分である。
【００２０】
パスワード制御部１５は、設置形態判別手段１６、および操作履歴管理部１７の情報から、プロジェクタがどのような「使われ方」をしているか、つまり使用形態を判別し、その使用形態に適したパスワード設定を、パスワード設定組合せテーブル１４から選択する。この部分の処理に関しては、以下に詳細を説明する。図２のフローチャートに沿って説明をする。
【００２１】
＜Ｓ１０＞
プロジェクタの主電源、たとえば商用ＡＣ電源がオンされる。ここでは、プロジェクタの投影表示などを行う起動は行わない。
【００２２】
＜Ｓ１１＞
現在の据置用取り付け金具の装着状態を検出する。図３に据置用取り付け金具の装着を検出する具体例を示す。図３（ａ）は設置形態が「可般型」として使用されている例であり、検出スイッチ３２はオフ状態である。一方、図３（ｂ）は設置形態が「据置型」として使用されている例であり、据置用取り付け金具３０が装着されていて、検出スイッチ３２は機械的構造によりオンするようになっている。このように、据置用取り付け金具の装着状態を検出することで、プロジェクタの設置形態を判定している。
【００２３】
＜Ｓ１２＞
前回起動時に、
・ズーム・フォーカス・レンズシフト駆動を行ったか
・スクリーン補正機能の設定変更を行ったか
の操作履歴を取得する。
【００２４】
＜Ｓ１３＞
ステップＳ１１で取得した情報から分岐処理を行う。検出スイッチ３２がオン状態であれば、設置形態＝「据置型」と判定し、Ｓ１４へ移行する。検出スイッチ３２がオフ状態であれば、設置形態＝「可般型」と判定し、Ｓ１５へ移行する。
【００２５】
＜Ｓ１４＞
ステップＳ１２で取得した情報から分岐処理を行い、プロジェクタの使用形態を判定する。前回起動時にズーム・フォーカス・レンジシフト駆動、もしくはスクリーン補正機能の設定変更を行っている場合：使用形態＝「１．前回は可般型として使用していたが今回から据置型に変化した」と判定する。前回起動時にズーム・フォーカス・レンジシフト駆動、もしくはスクリーン補正機能の設定変更が行われていない場合：使用形態＝「２．ずっと据置型」と判定する。
【００２６】
＜Ｓ１５＞
ステップＳ１２で取得した情報から分岐処理を行い、プロジェクタの使用形態を判定する。前回起動時にズーム・フォーカス・レンジシフト駆動、もしくはスクリーン補正機能の設定変更を行っている場合：使用形態＝「３．ずっと可般型」と判定する。前回起動時にズーム・フォーカス・レンジシフト駆動、もしくはスクリーン補正機能の設定変更が行われていない場合：使用形態＝「４．前回は据置型として使用していたが今回から可般型に変化した」と判定する。
【００２７】
＜Ｓ１６＞
ステップＳ１４、Ｓ１５で判定された使用形態に対応したパスワードの組合せを、パスワード設定組合せテーブル１４を参照して決定する。
【００２８】
図４はパスワード設定組合せテーブル１４の具体例を示した図である。使用形態１〜４に対して、起動命令操作、ズーム・フォーカス・シフト駆動操作、スクリーン補正機能設定操作のそれぞれに対してパスワード設定をするか否かを決めている。
【００２９】
このパスワード設定組合せテーブルは、本発明の目的の１つでる、セキュリティを確保しつつユーザビリティを改善するように決定される。たとえば、使用形態が「２．ずっと据置型」で使用されている場合には、本体盗難の可能性は低いため起動命令操作に対してはパスワードをかけないでパスワード解除の煩わしさを低減させる。一方で表示サイズや表示位置は誤って変更されてしまうのを防ぐため、ズーム・フォーカス・シフト駆動操作に対してはパスワードをかけるようにする。
【００３０】
また、使用形態が「３．ずっと可般型」で使用されている場合には、本体盗難の可能性があるため起動命令操作に対してはパスワードをかけるようにする。一方で表示サイズや表示位置は使用するたびに変わることが予想されるため、ズーム・フォーカス・シフト駆動操作に対してはパスワードをかけないでパスワード解除の煩わしさを低減させる。
【００３１】
＜Ｓ１７＞
ステップＳ１６で決定した情報を参照して、パスワード制御部１５はパスワード設定部１３に対して個別にパスワード設定制御を行う。
【００３２】
＜Ｓ１８＞
投影表示を行う起動命令の待ち状態。起動命令を受信したら、投影表示モードに移行する。
【００３３】
＜Ｓ１９＞
投影表示モード。各操作命令が行われた場合、パスワード設定部１３は上記で設定されたパスワード設定のオン／オフ情報に応じて、パスワード入力画面の表示を行う。例えば、使用形態が「３．ずっと可般型」の場合は、起動命令に対してパスワード設定がオンであるので、起動ボタンが押されたら最初にパスワード入力画面が表示される。
【００３４】
ここでは操作項目として、起動命令操作、ズーム・フォーカス・シフト駆動操作、スクリーン補正設定操作を例に挙げたが、使用形態によってパスワード設定対象を変えたほうがユーザビリティ改善になるものであれば、これに限ったことではない。
【００３５】
［実施例２］
全体構成に関しては実施例１と同じであるため、説明は省略する。実施例２は実施例１に対して、設置形態判別手段１６および操作履歴管理部１７の部分が異なる。実施例１は、設置形態判別手段１６として現在の設置状態情報、操作履歴管理部１７として前回起動時の操作履歴情報を用いたが、実施例２は、設置形態判別手段１６、操作履歴管理部１７ともに前回起動までの複数回の履歴情報を用いる点が異なる。
【００３６】
以下に図５のフローチャートに沿って詳細を説明する。
【００３７】
＜Ｓ２０＞
プロジェクタの主電源、たとえば商用ＡＣ電源がオンされる。ここでは、プロジェクタの投影表示などを行う起動は行わない。
【００３８】
＜Ｓ２１＞
前回起動時までの振動センサの履歴を取得する。図８に振動センサの出力履歴を用いて使用形態を判別する具体例を示す。
【００３９】
図８（ａ）は最近の使用時にはプロジェクタ本体が移動されていない場合の振動センサ出力例である。また図８（ｂ）は最近の使用時までプロジェクタ本体が移動されている場合の振動センサ出力例である。振動センサ出力には日常時のバックグラウンドノイズ(振動)も含まれるため、所定の閾値：ＴＨ＿ｍｖより大きな振動に対してプロジェクタ本体が移動したと判定する。振動センサ出力が閾値ＴＨ＿ｍｖ以下となった最後の起動から今回起動するまでの時間(起動回数)をｔｍとした場合、所定の時間(起動回数)：Ｔｏ＿ｍに対し
ｔｍ  ＞  Ｔｏ＿ｍ  の場合：本体移動なしと判断
ｔｍ  ＜  Ｔｏ＿ｍ  の場合：本体移動ありと判断
する。
【００４０】
＜Ｓ２２＞
前回起動時までの
・ズーム・フォーカス・レンズシフト駆動回数・頻度
・スクリーン補正機能の設定変更の回数・頻度
の操作履歴を取得する。
【００４１】
図９に、上記の駆動回数・頻度情報から操作履歴を判別する方法例を示す。図９（ａ）は最近の使用時にはズーム駆動操作が行われていない時の例である。また図９（ｂ）は最近の使用時までズーム駆動操作が頻繁に行われている時の例である。
【００４２】
ズーム駆動操作が最後に行われた起動から今回起動するまでの時間(起動回数)をｔｚとした場合、所定の時間(起動回数)：Ｔｏ＿ｚに対し、
ｔｚ  ＞  Ｔｏ＿ｚ  の場合：ズーム操作が最近行われていないと判断
ｔｚ  ＜  Ｔｏ＿ｚ  の場合：ズーム操作が最近まで行われていると判断
する。
【００４３】
ここではズーム操作の例を示したが、フォーカス駆動操作、レンズシフト駆動操作、スクリーン補正設定操作に関しても同様の方法で判断される。
【００４４】
＜Ｓ２３＞
ステップＳ２１、Ｓ２２で取得した情報から、使用形態を判定する。図６に、使用形態を判定する際に使用するテーブルの例を示す。ステップＳ２１で検出された、本体移動あり／なしの情報、ステップＳ２２で検出されたズーム・フォーカス・シフト駆動のあり／なしの情報、スクリーン補正設定変更あり／なしの情報から、図６の１〜８に分類された使用形態のどれに相当するかを判定する。
【００４５】
例えば、本体移動＝なし、ズーム・フォーカス・シフト駆動＝なし、スクリーン補正設定変更＝なしの場合には、使用形態としては「１．通常の据置型として使用」と判定される。また、本体移動＝あり、ズーム・フォーカス・シフト駆動＝なし、スクリーン補正設定変更＝なしの場合には、使用形態としては「５．可般型であるが、いつも同じ場所、スクリーン環境で使用」と判定される。
【００４６】
＜Ｓ２４＞
ステップＳ２３で判定された使用形態に対応したパスワード設定の組合せを、パスワード設定組合せテーブル１４を参照して決定する。
【００４７】
図７はパスワード組合せ設定テーブルの具体例を示した図である。判定された使用形態１〜８の各場合に対して、起動命令操作、ズーム・フォーカス・シフト駆動操作、スクリーン補正設定操作のパスワード設定をするか否かを決めている。このパスワード設定組合せテーブルは、実施例１同様にセキュリティを確保しつつユーザビリティを改善するように決定される。
【００４８】
例えば、使用形態が「２．据置型であるがスクリーン種類が頻繁に変わる」で使用されている場合には、本体盗難の可能性が少ないため起動命令操作に対してはパスワードをかけない。一方で表示サイズや位置は誤って変更されてしまうのを防ぐため、ズーム・フォーカス・シフト駆動操作に対してはパスワードをかけるようにする。また、据置型でありながら使用するたびにスクリーン種類が頻繁に変わると判断されているため、スクリーン補正設定にはパスワードをかけないことによりユーザビリティを改善する。
【００４９】
本実施例では、最近の複数回の操作履歴(回数)の情報も取り入れることにより、据置型か可般型かの設置形態情報からだけではなく、実際の使われ方に沿った判断が可能となる。
【００５０】
＜Ｓ２５＞
ステップＳ２４で決定した情報を参照して、パスワード制御部１５はパスワード設定部１３に対して個別にパスワード設定制御を行う。
【００５１】
＜Ｓ２６＞
投影表示を行う起動命令の待ち状態。起動命令を受信したら、投影表示モードに移行する。
【００５２】
＜Ｓ２７＞
投影表示モード。各操作命令が行われた場合、パスワード設定部１３は上記で設定されたパスワード設定のオン／オフ情報に応じて、パスワード入力画面の表示を行う。
【００５３】
ここでは操作項目として、起動命令操作、ズーム・フォーカス・シフト駆動操作、スクリーン補正設定操作を例に挙げたが、使用形態によってパスワード設定を変えたほうがユーザビリティ改善になるものであれば、これに限ったことではない。
【符号の説明】
【００５４】
１０：画像処理回路、１１ズーム・フォーカス・シフト駆動回路、１２：電源制御部、
１３：パスワード設定部、１４：パスワード設定組合せテーブル、
１５：パスワード制御部、１６：設置形態判別手段、１７：操作履歴管理部、
２０：パスワード制御管理ブロック
【図１】
2017162128.tif 000003
【図２】
2017162128.tif 000004
【図３】
2017162128.tif 000005
【図４】
2017162128.tif 000006
【図５】
2017162128.tif 000007
【図６】
2017162128.tif 000008
【図７】
2017162128.tif 000009
【図８】
2017162128.tif 000010
【図９】
2017162128.tif 000011